(57)【要約】      （修正有）【課題】表示パネルの表示向及び表示角度を多様に変化させるようにして視認性及び操作性を向上させたデータ表示装置を提供する。【解決手段】平板状を成す矩形の表示パネル１４の背面にこの表示パネルとほぼ同じ平面形状のリアサポートカバー１５を取り付け、表示パネルとリアサポートカバーとの互いに対応する一辺部間を第１のヒンジで回動可能に連結して表示ユニット１１を構成し、前記一辺部に平行な他辺部を高く位置するオペレータ用表示角度で本体部１２に支持すると共に、前記リアサポートカバーの他辺部と本体部１２とを第２のヒンジを介して回動可能に連結する。顧客に表示内容を確認させる場合、表示ユニット１１を前記第２のヒンジにより前記オペレータ用表示角度とは反対向きに傾斜させる第１のユーザモードと、前記第１のヒンジにより前記オペレータ用表示角度より大きな傾斜角度に傾斜させる第２のユーザモードとに、それぞれ角度設定可能とする。【選択図】図１
2013186580.tif 000002
【特許請求の範囲】
【請求項１】
平板状を成す矩形の表示パネルに対して、この表示パネルとほぼ同じ平面形状で板状を成すリアサポートカバーを前記表示パネルの背面に取り付け、これら表示パネルとリアサポートカバーとの互いに対応する一辺部間を第１のヒンジで回動可能に連結した表示ユニットと、
この表示ユニットを、水平面に対して前記一辺部より、この一辺部と平行な他辺部の方が高く位置するオペレータ用表示角度で支持すると共に、前記一辺部側の側面に内蔵プリンタの出力用紙排出部が設けられ、前記リアサポートカバーの前記他辺部と第２のヒンジを介して回動可能に連結した本体部とを備え、
前記表示ユニットを、前記オペレータ用表示角度で本体部上に支持したオペレータモードと、この表示ユニットを前記第２のヒンジにより前記オペレータ用表示角度とは反対向きに傾斜させた第１のユーザモードと、この表示ユニットの表示パネルを前記第１のヒンジにより前記オペレータ用表示角度より大きな傾斜角度に回動させた第２のユーザモードとに、それぞれ角度設定可能とした
ことを特徴とするデータ表示装置。
【請求項２】
前記表示ユニットの表示パネル面が、前記オペレータモード、第１のユーザモード、及び第２のユーザモードのどの状態に角度設定されているかを検出するセンサーを有し、前記表示パネル面の設定角度に応じて表示内容を切換えるように構成した請求項１に記載のデータ表示装置。
【発明の詳細な説明】
【技術分野】
【０００１】
本発明の実施形態は、表品の販売情報管理などに用いられる表示パネルを備えたデータ表示装置に関する。
【背景技術】
【０００２】
一般に、店舗などにおける販売情報管理に、所謂ＰＯＳシステムが広く用いられている。このようなＰＯＳシステムにおける端末として、各種情報を表示し、入力するためのパネルを、互いに対面して応対している顧客と販売員とが相互に目視でき、かつ操作できる構造のものが用いられるようになってきた。
【０００３】
このような端末装置として、１つの表示パネルを支持アームにより本体部へ回動可能に取り付け、このアームの回動により、その表示部が顧客に向いた角度と、販売員に向いた角度とにそれぞれ変化できるように構成したものがある。
【０００４】
このような端末装置では、オペレータ（販売員でもある）が操作する場合は、表示パネルの表示面を、オペレータに向けて操作しやすい角度に位置決めする。表示パネルの表示内容を顧客に表示する場合は、アームを回動させて表示パネルの表示面を、対向位置にある顧客に向けるように構成している。
【０００５】
この場合、オペレータは、通常、立ったままの状態で端末装置の表示パネル面を操作するので、オペレータを向いた状態では、表示パネルは水平面に対してオペレータに向って僅かに傾斜した角度に支持されている。これに対して、顧客が商品情報を得る等のために端末を操作する場合は、販売員であるオペレータと対面する位置において、通常、椅子に座った状態で端末装置の表示パネルを目視し、商品選択などの簡単な操作を行うことがほとんどである。このため、表示パネルは、椅子に座った顧客が見やすいように、垂直に近い角度に傾斜させている。
【先行技術文献】
【特許文献】
【０００６】
【特許文献１】特開２００５−９１５０７号公報
【発明の概要】
【発明が解決しようとする課題】
【０００７】
ところで、ＰＯＳシステムの端末装置として用いられるデータ表示装置は、その本体部内に内蔵プリンタを設けたものが多い。この内蔵プリンタは、表示パネルとして用いられるタッチパネルの表示面を操作して入力されたデータ、例えば、販売商品に関するデータや顧客が購入する商品に関する価格データなどをプリントアウトするために用いられる。そして、このプリンタによりプリントされた用紙の排出口は、通常、本体部のオペレータと対向する側の側面に設けられている。これは、販売商品の価格集計やクレジットカードの決算処理などはオペレータが行い、その結果のプリントアウト用紙もオペレータが取り扱うことが多く、オペレータの操作性に重点をおいたためである。
【０００８】
しかしながら、表示パネル面を顧客に向けて、顧客が商品選択等の操作を行った場合等、その操作結果をプリントアウトした用紙を顧客が入手したい場合も多くある。このような場合、端末装置本体部に設けられた内蔵プリンタの用紙排出部は、前述のように顧客に対しては反対面であるオペレータ側に形成されているため、プリントアウトされた用紙を顧客が直接入手することが困難である。勿論、オペレータがその場に居ればオペレータにとってもらえばよいが、オペレータが席を外した場合等は、オペレータが戻るまでプリントアウトした用紙を入手できないという不便さがある。
【０００９】
本発明が解決しようとする課題は、表示パネルの表示向及び表示角度を多様に変化させるようにして視認性及び操作性を向上させたデータ表示装置を提供することにある。
【課題を解決するための手段】
【００１０】
本発明の実施の形態によるデータ表示装置は、平板状を成す矩形の表示パネルに対して、この表示パネルとほぼ同じ平面形状で板状を成すリアサポートカバーを前記表示パネルの背面に取り付け、これら表示パネルとリアサポートカバーとの互いに対応する一辺部間を第１のヒンジで回動可能に連結した表示ユニットと、この表示ユニットを、水平面に対して前記一辺部より、この一辺部と平行な他辺部の方が高く位置するオペレータ用表示角度で支持すると共に、前記一辺部側の側面に内蔵プリンタの出力用紙排出部が設けられ、前記リアサポートカバーの前記他辺部と第２のヒンジを介して回動可能に連結した本体部とを備え、前記表示ユニットを、前記オペレータ用表示角度で本体部上に支持したオペレータモードと、この表示ユニットを前記第２のヒンジにより前記オペレータ用表示角度とは反対向きに傾斜させた第１のユーザモードと、この表示ユニットの表示パネルを前記第１のヒンジにより前記オペレータ用表示角度より大きな傾斜角度に回動させた第２のユーザモードとに、それぞれ角度設定可能としたことを特徴とする。
【図面の簡単な説明】
【００１１】
【図１】本発明の一実施形態に係るデータ表示装置の外観形状を示す斜視図である。
【図２】本発明の一実施形態に係るデータ表示装置のオペレータモードでの使用状態を示す側面図である。
【図３】本発明の一実施形態に係るデータ表示装置の第１のユーザモードでの使用状態を示す側面図である。
【図４】本発明の一実施形態に係るデータ表示装置の第２のユーザモードでの使用状態を示す側面図である。
【発明を実施するための形態】
【００１２】
以下、本発明の実施の形態について、図面を参照して詳細に説明する。
【００１３】
図１はこの実施の形態に係るデータ表示装置の全体形状を示しており、図２乃至図４は同データ表示装置の各使用状態を示している。すなわち、図２はオペレータが使用するオペレータモードでの使用状態を示し、図３は顧客が使用する際の第１のユーザモードでの仕様状態を示し、図４は同じく顧客が使用する第２のユーザモードでの使用状態を示している。
【００１４】
このデー表示装置は、大略すると表示ユニット１１及びこれを支持する本体部１２からなる。表示ユニット１１は、平板状を成す矩形の表示パネル１４と、この表示パネル１４の背面に取り付けられたリアサポートカバー１５とを有する。表示パネル１４としては所謂タッチパネルを用いており、その表示面１４ａにタッチすることにより、情報入力できるように構成されている。リアサポートカバー１５は、表示パネル１４とほぼ同じ平面形状で板状を成しており、表示パネル１４の背面に重ね合わせ状態で取り付けられている。また、これら表示パネル１４及びリアサポートカバー１５の互いに対応する一辺部（以下、下辺部と呼ぶ））１１ａ間は、ヒンジ（以下、第１のヒンジと呼ぶ）１７により回動可能に連結されている。
【００１５】
本体部１２は、この表示ユニット１１を、図２で示すように、水平面に対して下辺部１１ａより、この下辺部１１ａと平行な他辺部（以下、上辺部と呼ぶ）１１ｂの方が高く位置する表示角度（以下、オペレータ用表示角度と呼ぶ）で支持する。このオペレータ用表示角度は、立った状態のオペレータが見易く、かつ入力操作し易い角度であり、このオペレータ用表示角度での使用状態をオペレータモードと呼ぶ。
【００１６】
また、この本体部１２のオペレータ側の側面、すなわち、下辺部１１ａ側の側面には、内蔵プリンタからの出力用紙排出部１８が設けられている。さらに、この本体部１２の表示ユニット１１の支持部には、リアサポートカバー１５の上辺部１１ｂとの間にヒンジ（以下、第２のヒンジと呼ぶ）１９が設けられており、図３で示すように、リアシートカバー１５を含む表示ユニット１１全体を回動可能に枢支している。
【００１７】
ここで、図２で示すように、表示ユニット１１をオペレータ用表示角度で本体部１２上に支持した使用状態を前述したようにオペレータモードと呼ぶ。また、図３で示すように、表示ユニット１１を第２のヒンジ１９により図１で示した第１の表示角度とは反対向き（図示右向き）に傾斜させた使用状態を第１のユーザモードと呼ぶ。さらに、図４で示すように、表示ユニット１１の表示パネル１４を、第１のヒンジ１７により、図１で示したオペレータ用表示角度より大きな傾斜角度に回動させた表示状態を第２のユーザモードと呼ぶ。すなわち、この実施の形態では、表示ユニット１１の表示パネル１４を、上述したオペレータモード、第１のユーザモード、及び第２のユーザモードにそれぞれ角度設定可能に構成している。
【００１８】
表示ユニット１１には、図示しないが、表示ユニット１１の表示パネル１４が、上述したオペレータモード、第１のユーザモード、及び第２のユーザモードの何れの使用状態に角度設定されているかを検出するセンサーが設けられており、この表示パネル１４の設定角度に応じて表示内容を切換えるように構成している。例えば、図３で示した第１のユーザモードでは、図２及び図４で示す他のモードとは、表示パネル１４の表示面１４ａの上下が反転するので、センサー１５の検出信号に従って公知の手法により表示面１４ａにおける画面表示を上下反転させる。また、オペレータと顧客では取り扱う情報の秘密レベルが異なるので、両者に対して同じ画面を表示させると、秘密情報管理の上で問題が生じることがある。そこで、表示面１４ａが向く方向に応じて、表示内容を変えるようにしてもよい。
【００１９】
ここで、センサーとしては、例えば、重力式のセンサーを用いる。この重力式のセンサーとは、表示パネル１４の使用状態（設定角度）の変化に応じて重力により上下動する遮蔽体と、この遮蔽体の上下動に伴って出力を変化させるセンサー部とを有するものである。勿論、このセンサーには、重力式以外の、例えば、表示パネル１４の回動角度を検出する角度センサー等を用いてもよい。
【００２０】
上記構成において、オペレータが販売商品の集計処理などを表示パネル１４の表示面１４ａ上で行う場合は、表示ユニット１１を、図２で示したオペレータモードに角度設定して操作を行う。通常、販売員でもあるオペレータは立った状態で表示パネル１４の表示面１４ａへの入力操作を行うので、図２で示すように表示面１４ａが水平面に対して僅かにオペレータ側に傾斜している状態が、表示内容を視認し易く、表示面１４ａへの入力操作も容易となり、作業効率が向上する。
【００２１】
一方、オペレータと対面している顧客に対して、商品情報を伝えるような場合は、表示パネル１４の表示面１４ａが顧客側（図示右側）を向くように、表示パネル１１全体を第２のヒンジ１９を支点に回動させ、図３で示す第１のユーザモードに角度設定する。この場合、顧客は椅子に座っていることが多いので、表示面１４ａは、水平面に対して大きな角度に設定される。このように角度設定することにより、椅子に座った顧客は、表示面１４ａの表示内容を容易に視認することができる。
【００２２】
また、顧客が表示面１４ａを視認しながら操作するような場合、例えば、オペレータが販売商品の集計処理を行いその集計結果を顧客に表示して、これを客が確認して確認ボタンを操作し、集計伝票をプリントアウトすることがある。このような場合は、オペレータはまず図２で示したオペレータモードにより集計処理を行う。その後、表示パネルを第１のヒンジ１７を中心に、図４で示す第２のユーザモードまで立ち上げる。そして、この図４の状態のまま、表示パネル１４の表示面１４ａ、及び本体部１２の内臓プリンタの出力用紙出口部１８が、顧客側（図示右側）を向くように、本体部１２の向きを変える。
【００２３】
これらの操作により、表示面１４ａは、オペレータと対面している椅子に座った顧客と対向することとなる。顧客は表示内容を確認した後、表示面１４ａ上の確認ボタンをタッチ操作する。この確認操作により本体部１２の内蔵プリンタが動作し、表示内容である集計結果をプリントし、その出力用紙を出力用紙排出部１８から出力する。このとき顧客は、上述のように出力用紙排出部１８と対向しているので、オペレータが席を外していても、プリントされた出力用紙を直ちに入手することができる。
【００２４】
このように、表示パネル１４の表示方向及び表示の角度を多様に変化させることができるのでオペレータ及び顧客の双方にとって表示内容の視認性及び操作性が向上する。
【００２５】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２６】
１１・・・表示ユニット
１１ａ・・・一辺部
１１ｂ・・・他辺部
１２・・・本体部
１４・・・表示パネル
１４a・・・表示面
１５・・・リアサポートカバー
１７・・・第１のヒンジ
１８・・・出力用紙排出部
１９・・・第２のヒンジ
【図１】
2013186580.tif 000003
【図２】
2013186580.tif 000004
【図３】
2013186580.tif 000005
【図４】
2013186580.tif 000006